(57)【特許請求の範囲】
【請求項１】
Ｈ形鋼からなるはりの上に設置されたＨ形鋼からなる母屋を前記はりに取り付けるための母屋の取付け構造であって、前記はりの上で隣接する母屋の端部どうしが突き合せられ、当該母屋のフランジの端部が前記はりのフランジに固定ボルトによってそれぞれ固定され、かつ前記母屋のウェブの端部どうしがその中立軸の上側において連結プレートと連結ボルトによって互いに連結されてなることを特徴とする母屋の取付け構造。
【発明の詳細な説明】
【０００１】
【発明の属する技術分野】
この発明は鋼構造の建物で、Ｈ形鋼からなるはりの上に設置されたＨ形鋼からなる母屋をはりに取り付けるための母屋の取付け構造に関する。
【０００２】
【従来の技術】
一般に鋼構造の建物で、壁の軸組は桁行き方向に複数の柱を所定間隔をおいて建て付け、この柱間に複数の胴縁を桁行き方向に水平に架け渡して構成されている。
【０００３】
また、小屋組はスパン方向（はり間方向）に対向する柱間にはりをそれぞれ架け渡し、このはり間に複数の母屋を桁行き方向に架け渡して構成されている。
その際、柱とはりにはＨ形鋼が使用され、胴縁と母屋には主として溝形鋼などが使用されている。
【０００４】
さらに胴縁は柱の側部で、母屋ははりの上でそれぞれ互いに連結され、かつ胴縁は柱の側部に、母屋ははりの上にそれぞれ連結金具を使用した固定ボルトで固定されている。
【０００５】
図３（ａ），（ｂ）は、柱の側部にリップ溝形鋼が胴縁として取り付けられている従来例を示し、図において胴縁２０は柱２１の側部に横倒れの状態に添え付けられ、その端部は柱２１の側部にアングル材などからなる取付金具２２を介し、溶接などによってそれぞれ固定されている。
【０００６】
また、同じ取付金具２２を介し、連結ボルト２３によって胴縁２０の端部どうしが柱２１の側部で互いに連結されている。
図４（ａ），（ｂ）は、はりの上にリップ溝形鋼が母屋として取り付けられている従来例を示し、図において母屋２４は、はり２５の上に載置され、その端部は、はり２５の上に取付金具２２を介し、溶接などによってはり２５の上にそれぞれ固定されている。
【０００７】
また、同じ取付金具２２を介し、連結ボルト２３によって母屋２４の端部どうしがはり２５の上で互いに連結されている。
そして、胴縁２０の側部に壁外装材２６が、母屋２４の上に屋根外装材２７がそれぞれ取り付けられている。
【０００８】
【発明が解決しようとする課題】
しかし、このような取り付け方では、胴縁２０と母屋２４の端部がともにピン接合状態にあることから、内側または風による負圧の影響などにより外側にたわみやすく壁外装材２６と屋根外装材２７が損傷しかねない等の課題があった。
【０００９】
このたわみを解消するために、例えば図５に図示するように胴縁２０の外側を連結プレート２８と連結ボルト２９で連結してもよいが、こうすると連結プレート２８と連結ボルト２９が邪魔になって壁外装材２６が取り付けにくくなる等の課題があった。
【００１０】
この発明は、以上の課題を解決するためになされたもので、Ｈ形鋼からなるはりの上に設置されたＨ形鋼からなる母屋を確実かつ強固に取り付けられるようにした母屋の取付け構造を提供することを目的とする。
【００１１】
【課題を解決するための手段】
請求項１記載の母屋の取付け構造は、Ｈ形鋼からなるはりの上に設置されたＨ形鋼からなる母屋をはりに取り付けるための母屋の取付け構造であって、前記はりの上で隣接する母屋の端部どうしが突き合せられ、当該母屋のフランジの端部が前記はりのフランジに固定ボルトによってそれぞれ固定され、かつ前記母屋のウェブの端部どうしがその中立軸の上側において連結プレートと連結ボルトによって互いに連結されてなることを特徴とするものである。
【００１５】
【発明の実施の形態】
図１（ａ），（ｂ）は、主要構造部材として設置された柱の側部に二次部材として胴縁が取り付けられている例を示し、図において、柱１の側部で桁行き方向に隣接する胴縁２と２の端部が水平に突き合わせられ、互いに連結され、かつ柱１の側部にそれぞれ固定されている。そして、胴縁２の側部に壁外装材として波鋼板３が取り付けられている。
【００１６】
柱１と胴縁２はともにＨ形鋼で形成され、特に胴縁２はビス打ち等の加工が容易な、フランジ２ａの板厚が３．２ｍｍ以下で、かつ壁厚が必要以上に増すもとになる、いわゆるデットスペースを小さくできる、成（高さ）が２００ｍｍ以下のＨ形鋼で形成されている。
【００１７】
また、胴縁２は横倒れの状態で柱１の側部にそれぞれ設置され、かつ柱１の側部においてウェブ２ｂの端部を連結プレート４と複数の連結ボルト５で連結することにより互いに連結されている。その際、ウェブ２ｂの外より部分、すなわち柱１から可能な限り離れた部分が連結されている。なお、連結プレーキ４はウェブ２ｂの片面または両面のいずれに設けてもよい。
【００１８】
また、胴縁２は柱１側のフランジ２ａの端部を柱１のフランジ１ａに複数の固定ボルト６でボルト止めすることにより柱１の側部にそれぞれ固定されている。このようにして、胴縁２と２が互いに連結されていることにより、胴縁２の側部に胴縁２どうしを連結するための連結ボルト等が突出することがなく、壁外装材として設置された波鋼板３を胴縁２に密着させ、簡単に取り付けることができる。また、胴縁２どうしを剛接合状態に連結でき、かつ胴縁２を柱１に剛接合状態に取り付けることができ、これにより風圧などによる胴縁２のたわみを約５分の１に低減でき、これに伴う波鋼板３の損傷などを未然に防止できる。
【００１９】
図２（ａ），（ｂ）は、主要構造部材として設置されたはりの上に二次部材として母屋が取り付けられている例を示し、図において、はり７の上で桁行き方向に隣接する母屋８と８の端部が水平に突き合わせられ、互いに連結され、かつはり７の上に固定されている。そして、母屋８の上に屋根外装材として波鋼板３が取り付けられている。
【００２０】
はり７と母屋８はともにＨ形鋼で形成され、特に母屋８は胴縁２と同様に、ビス打ち等の加工が容易な、フランジ８ａの板厚が３．２ｍｍ以下で、かつデットスペースの少ない、成（高さ）が２００ｍｍ以下のＨ形鋼で形成されている。
【００２１】
また、母屋８は、はり７の上においてウェブ８ｂの端部を連結プレート４と複数の連結ボルト５で連結することにより互いに連結されている。なお、連結プレート４はウェブ８ｂの片面または両面のいずれに設けてもよい。
【００２２】
その際、ウェブ８ｂの上側部分、すなわち、はり７から可能な限り離れた部分が連結されている。また、母屋８は、下側のフランジ８ａの端部をはり７のフランジ７ａに複数の固定ボルト６でボルト止めすることによりはり２の上にそれぞれ固定されている。
【００２３】
このようにして、母屋８どうしが互いに連結されていることにより、母屋８の上に母屋８どうしを連結するための連結ボルト等が突出することがなく、屋根外装材として設置された波鋼板３を母屋８に密着させ、簡単に取り付けることができる。また、母屋８どうしを剛接合状態に連結でき、かつ母屋８をはり７に剛接合状態に取り付けることができ、これにより積雪などによる母屋８のたわみを約５分の１に低減でき、これに伴う波鋼板３の損傷などを未然に防止できる。
【００２４】
なお、胴縁２と母屋８としてＨ形鋼を用いた場合を説明したが、例えば図２（ｃ）に図示するように２本の溝形鋼を背合わせに組み合わせたものを胴縁や母屋として用いてもよい。また、図２（ｄ）に図示するように、例えば柱１側の胴縁２のフランジ２ａの内側に添接板９を一枚介せば、固定ボルト６の締め付けによる摩擦力が増大し、効果はさらに上がる。
【００２５】
【発明の効果】
この発明は以上説明した通りであり、柱などの主要構造部材に胴縁などのフランジとウェブを有する二次部材の端部が、フランジを固定ボルトでボルト止めすることで直接固定され、また二次部材どうしもウェブの端部を連結プレートと連結ボルトで連結することで互いに連結されているため、主要構造部材と二次部材、および二次部材どうしが共に剛接合状態に連結される。よって風圧や積雪などによる二次部材のたわみ、二次部材のたわみに伴う外装材の損傷などを確実に防止できる。
【００２６】
また、二次部材の取付部に外装材側に突出するものがないので、二次部材の上に外装材を容易に取り付けることができる。
さらに、二次部材は主要構造部材に複数の固定ボルトによって固定され、かつ二次部材どうしは連結プレートと連結ボルトによって連結されているので、二次部材の取付作業も簡単にできて施工性がよい。
【図面の簡単な説明】
【図１】柱に胴縁が取り付けられている例を示し、（ａ）はその横断面図、（ｂ）は縦断面図である。
【図２】はりに母屋が取り付けられている例を示し、（ａ）はその横断面図、（ｂ）は縦断面図、（ｃ），（ｄ）は他の例を示す断面図である。
【図３】柱に胴縁が取り付けられている従来例を示し、（ａ）はその横断面図、（ｂ）は縦断面図である。
【図４】はりに母屋が取り付けられている従来例を示し、（ａ）はその横断面図、（ｂ）は縦断面図である。
【図５】柱に胴縁が取り付けられている従来例を示す縦断面図である。
【符号の説明】
１  柱（主要構造部材）
２  胴縁（二次部材）
２ａ  フランジ
２ｂ  ウェブ
３  波鋼板
４  連結プレート
５  連結ボルト
６  固定ボルト
７  はり（主要構造部材）
８  母屋（二次部材）
８ａ  フランジ
８ｂ  ウェブ
９  添接板
【図１】
0004255175.tif 000002
【図２】
0004255175.tif 000003
【図３】
0004255175.tif 000004
【図４】
0004255175.tif 000005
【図５】
0004255175.tif 000006